(57)【要約】【課題】  テレシネ映像信号の途中で、編集点などによる２−３プルダウン位相のずれが発生し、シーケンスの規則性が乱れた場合においても、画質劣化を防止して、良好な順次走査変換を行う。【解決手段】  １フレーム間の差分情報から、注目フィールドの１フレーム前のフィールドとの間の相関を検出し、その検出結果により、テレシネシーケンス検出手段２１において、テレシネ映像信号であるか否かを判定する。シーケンスずれ検出手段２２で５フィールドに１度の特定位相のフィールドとは異なるフィールドが静止画フィールドである場合にそのことを検出し、この検出結果が、テレシネシーケンス検出手段における判定に利用され、２−３プルダウン位相のずれがあったときは、テレシネ映像信号の検出に基づくＩＰ変換を行う動作を一時的に解除する。【選択図】        図１
2005223503.tif 000002
【特許請求の範囲】
【請求項１】
入力される飛び越し走査の映像信号から補間走査線を生成し、順次走査の映像信号に変換する映像信号処理装置であって、
映像信号をフィールド単位で複数フィールド分遅延するフィールド遅延手段と、
注目フィールドの映像信号と、注目フィールドの１フレーム前のフィールドの映像信号との間の相関を検出し、フレーム間の相関の強さに基づき、注目フィールドが静止画フィールドであるか動画フィールドであるかの判定を行う相関判定手段と、
上記相関判定手段からの出力信号に基づいて、２−３プルダウン方式でテレシネ変換された映像信号におけるテレシネ変換のフィールドシーケンスを検出し、上記テレシネ変換のフィールドシーケンスの検出結果から、上記入力された映像信号が、テレシネ変換された映像信号であるか否かを判定するテレシネシーケンス検出手段と、
上記相関判定手段からの出力信号と上記テレシネシーケンス検出手段の検出結果に基づいて、上記テレシネシーケンス検出手段が検出したテレシネ変換のフィールドシーケンス中において静止画フィールドとなるべき特定位相のフィールドとは異なるフィールドが静止画フィールドであるときにこれを検出するシーケンスずれ検出手段と、
上記テレシネシーケンス検出手段からの検出結果に基づいて、補間走査線信号を生成する処理を切り換える走査線補間手段とを備え、
上記テレシネシーケンス検出手段は、上記シーケンスずれ検出手段の出力をも用いて、上記テレシネ変換された映像信号であるか否かの判定を行なう
ことを特徴とする映像信号処理装置。
【請求項２】
上記相関判定手段は、映像信号の注目フィールド内における所定の領域もしくは全ての領域内の各画素について、１フレーム前のフィールドにおける同一位置の画素との間の差分値又は差分値に基づいて定められた値が所定値よりも大きい画素の数が所定数以上かどうかに基づいて、注目フィールドが静止画フィールドか動画フィールドかを判定することを特徴とする請求項１に記載の映像信号処理装置。
【請求項３】
上記相関判定手段は、
映像信号の注目フィールド内における所定の領域もしくは全ての領域内の各画素について、１フレーム前のフィールドにおける同一位置の画素との間の差分値又は差分値に基づいて定められる値を検出する画素差分検出手段と、
上記画素差分検出手段の出力を所定値と比較し、各画素での動きの有無を判定する差分比較手段と、
上記差分比較手段からの出力に基づき、フィールド内の所定の領域もしくは全ての領域における画素に対し、動きがあると判定された画素を計数し、又は動きがないと判定された画素を計数する累積カウンタと、
上記累積カウンタのカウント値を所定値と比較し、その比較結果から、注目フィールドが静止画フィールドか動画フィールドかを判定するフィールド状態判定手段と
を備え、
上記フィールド状態判定手段の出力信号を、上記相関判定手段の出力とすることを特徴とする請求項２に記載の映像信号処理装置。
【請求項４】
上記フィールド状態判定手段は、
上記累積カウンタのカウント値を第１の所定値と比較し、その比較結果を示す第１の比較結果信号を出力する第１の比較手段と、
上記累積カウンタのカウント値を第２の所定値と比較し、その比較結果を示す第２の比較結果信号を出力する第２の比較手段とを備え、
上記第１及び第２の比較手段のそれぞれの出力信号を上記フィールド状態判定手段の出力とする
ことを特徴とする請求項３に記載の映像信号処理装置。
【請求項５】
上記テレシネシーケンス検出手段は、
上記シーケンスずれ検出手段により、上記特定位相のフィールドとは異なるフィールドが静止画フィールドであることが検出されたときは、上記テレシネ変換された映像信号であることを示す信号を出力しない
ことを特徴とする請求項１に記載の映像信号処理装置。
【請求項６】
上記テレシネシーケンス検出手段は、上記入力される映像信号の５フィールド分の上記相関判定手段からの出力に基づいて、上記入力される映像信号がテレシネ変換された映像信号であるかどうかを判定するものであり、
上記相関判定手段からの出力信号が動画フィールドを示すフィールドの連続数を検出する動画フィールドカウンタと、
上記相関判定手段からの出力信号が静止画フィールドを示すフィールドの連続数を検出する静止画フィールド連続検出手段と、
上記相関判定手段からの出力信号と上記動画フィールドカウンタからの出力に基づいて、２−３プルダウン方式でテレシネ変換された映像信号におけるテレシネ変換のフィールドシーケンスの位相を検出するテレシネシーケンス位相検出手段と、
上記相関判定手段からの出力信号と上記動画フィールドカウンタからの出力とに基づいて、検出された上記テレシネ変換のフィールドシーケンスの繰り返し回数を求め、
この繰り返し回数に基づき、順次入力される映像信号がテレシネ変換されたものであるか否かの検出を行うテレシネ検出信号生成手段を備え、
上記テレシネ検出信号生成手段の出力をテレシネ変換された映像信号であるか否かを示す信号として出力し、上記テレシネシーケンス位相検出手段の出力をテレシネ変換のフィールドシーケンスの位相を示す信号として出力する
ことを特徴とする請求項５に記載の映像信号処理装置。
【請求項７】
上記テレシネシーケンス位相検出手段は、
上記相関判定手段からの出力信号と上記動画フィールドカウンタからの出力に基づいて、動画フィールドが４フィールド連続した後、静止画フィールドとなるべきフィールドのタイミングを検出する特定位相フィールド検出手段と、
上記特定位相フィールド検出手段により検出されたフィールドに同期して５フィールド周期で繰り返す繰り返し信号を生成する位相信号発生手段と
を備えており、
上記位相信号発生手段の出力を、２−３プルダウンの変換位相であるフィールドシーケンスの位相を示す信号として出力する
ことを特徴とする請求項６に記載の映像信号処理装置。
【請求項８】
さらに、上記動画フィールドカウンタからの出力を所定値と比較する動画フィールドカウント値比較手段を備え、
上記テレシネ検出信号生成手段は、
上記動画フィールドカウント値比較手段の出力と、上記静止画フィールド連続検出手段の出力と、上記シーケンスずれ検出手段の出力とに基づいて、リセット条件を判定するリセット条件判定手段と、
上記リセット条件判定手段の出力によってリセットされ、上記相関判定手段の出力信号と上記動画フィールドカウンタの出力とに基づいて、動画フィールドが４フィールド連続した後静止画フィールドとなるフィールドシーケンスの連続数を求めるフィールドシーケンス連続数検出手段と、
上記フィールドシーケンス連続数検出手段によって求められた連続数を所定値と比較し、比較結果を示す信号を出力するフィールドシーケンス連続数比較手段と
を備えており、
上記フィールドシーケンス連続数比較手段の出力信号を、上記テレシネ変換された映像信号であるか否かを示す信号として出力する
ことを特徴とする請求項６に記載の映像信号処理装置。
【請求項９】
上記フィールドシーケンス連続数検出手段は、
上記相関判定手段の出力信号が、静止画フィールドであることを示し、かつ
上記動画フィールドカウンタの出力が所定値を示すときに、
カウント値を１だけ増加するものである
ことを特徴とする請求項８に記載の映像信号処理装置。
【請求項１０】
上記リセット条件判定手段は、
上記動画フィールドカウント値比較手段の出力により、動画フィールドの連続数が所定値以上であることが示されているとき、上記静止画フィールド連続検出手段の出力により、静止画フィールドの連続数が所定値以上であることが示されているとき、上記シーケンスずれ検出手段の出力により、シーケンスずれが生じたことが示されているときのいずれかの条件が満たされているとき、上記フィールドシーケンス連続数検出手段をリセットする
ことを特徴とする請求項８に記載の映像信号処理装置。
【請求項１１】
上記シーケンスずれ検出手段は、
上記テレシネシーケンス検出手段の出力に従って動作し、２−３プルダウンでの５フィールドのフィールドシーケンス内の上記特定位相のフィールド以外のフィールドで、上記相関判定手段が検出した静止画フィールドの数をカウントする静止画フィールドカウント手段と、
上記静止画フィールドカウント手段のカウント値を所定値と比較する比較手段と
を備え、
上記比較手段での比較結果を示す信号を、上記シーケンスずれ検出手段の検出結果を示す信号として出力する
ことを特徴とする請求項１に記載の映像信号処理装置。
【請求項１２】
上記シーケンスずれ検出手段は、
上記テレシネシーケンス検出手段の出力に従って動作し、２−３プルダウンでの５フィールドのフィールドシーケンス内の上記特定位相のフィールド以外のフィールドで、上記相関判定手段が検出した静止画フィールドの数をカウントする静止画フィールドカウント手段と、
上記相関判定手段の出力信号が動画フィールドであることを示しており、かつ、１フィールド前の上記静止画フィールドカウント手段のカウント値が所定値以上であることを示していたかどうかを示す信号を生成するずれ有無判定手段とを備え、
上記ずれ有無判定手段での判定結果を示す信号を、上記シーケンスずれ検出手段の検出結果を示す信号として出力する
ことを特徴とする請求項１に記載の映像信号処理装置。
【請求項１３】
上記走査線補間手段は、
補間対象フィールドの映像信号に対し、補間対象フィールドの映像信号に対し、補間対象フィールド内の近傍の画素の値を表す映像信号に基づく演算処理により補間信号を生成するフィールド内補間、若しくは補間対象フィールドの隣接フィールドの映像信号に基づく演算処理により補間信号を生成するフィールド間補間を行う動き適応補間処理手段と、
上記テレシネシーケンス検出手段からのテレシネ変換のフィールドシーケンスを示す信号に応じて、補間対象フィールドの１フィールド前または１フィールド後の映像信号に基づき補間信号を生成するテレシネ補間処理手段と、
テレシネシーケンス検出手段での検出結果により、上記動き適応補間処理手段による補間信号と上記テレシネ補間処理手段による補間信号のいずれかを選択して出力する選択手段とを備え、
上記テレシネシーケンス検出手段での検出結果により、テレシネ変換された映像信号であると検出された場合は上記テレシネ補間処理手段による補間信号を選択し、それ以外の場合は、上記動き適応補間処理手段による補間信号を選択して、
選択した補間走査線信号を出力することを特徴とする請求項１に記載の映像信号処理装置。
【請求項１４】
入力される飛び越し走査の映像信号から補間走査線を生成し、順次走査の映像信号に変換する映像信号処理方法であって、
注目フィールドの映像信号と、注目フィールドの１フレーム前のフィールドの映像信号との間の相関を検出し、フレーム間の相関の強さに基づき、注目フィールドが静止画フィールドであるか動画フィールドであるかの判定を行う相関判定ステップと、
上記相関判定ステップにおける判定の結果に基づいて、２−３プルダウン方式でテレシネ変換された映像信号におけるテレシネ変換のフィールドシーケンスを検出するシーケンス検出ステップと、
上記テレシネ変換のフィールドシーケンスの検出の結果から、上記入力される映像信号が、テレシネ変換された映像信号であるか否かを判定するテレシネ判定ステップと、
上記相関判定ステップにおける判定の結果と上記テレシネシーケンス判定ステップにおける判定の結果に基づいて、上記シーケンス検出ステップにおいて検出されたテレシネ変換のフィールドシーケンス中において静止画フィールドとなるべき特定位相のフィールドとは異なるフィールドが静止画フィールドであるときにこれを検出するずれ検出ステップと、
上記シーケンス検出ステップによる検出の結果及び上記テレシネ判定ステップにおける判定の結果に基づいて、補間走査線信号を生成する処理を切り換える走査線補間ステップとを備え、
上記テレシネ判定ステップにおける判定は、上記ずれ検出ステップの検出結果をも用いて行われる
ことを特徴とする映像信号処理方法。
【請求項１５】
上記ずれ検出ステップにおいて、
上記位相検出ステップにおいて検出される、２−３プルダウンでの５フィールドのフィールドシーケンス内の上記特定位相のフィールド以外のフィールドで、上記相関判定ステップで検出され静止画フィールドの数をカウントし、このカウント値が所定値以上であるとき、上記シーケンスのずれがあったものと判定する
ことを特徴とする請求項１４に記載の映像信号処理方法。
【請求項１６】
上記ずれ検出ステップにおいて、
上記位相検出ステップにおいて検出される、２−３プルダウンでの５フィールドのフィールドシーケンス内の上記特定位相のフィールド以外のフィールドで、上記相関判定ステップで検出された静止画フィールドをカウントし、
上記相関判定ステップにおいて動画フィールドであることが判定され、かつ、１フィールド前の上記静止画フィールドのカウント値が所定値以上であったときに、
上記シーケンスのずれがあったものと判定する
ことを特徴とする請求項１４に記載の映像信号処理方法。
【発明の詳細な説明】
【技術分野】
【０００１】
本発明は、飛び越し走査（インターレース）の映像信号から補間走査線を生成し、順次走査（プログレッシブ）の映像信号に変換する映像信号処理装置であって、特に映画フィルム信号などから２−３プルダウン方式で変換された飛び越し走査信号を順次走査の映像信号に変換する処理において、テレシネ変換された映像信号か否かを検出し、検出結果に応じて異なる処理をする映像信号処理装置および映像信号処理方法に関するものである。
【背景技術】
【０００２】
映画フィルム等は毎秒２４コマ（フレーム）として撮影されているのに対し、ＮＴＳＣ方式信号やハイビジョン信号等の標準的なテレビジョン信号では、飛び越し走査（インターレース）のため毎秒６０フィールドの映像信号となっている。従って、映画フィルム等の信号を例えばテレビジョン放送の番組として放送する場合やビデオパッケージとしてパッケージ化する場合には、毎秒２４フレームの信号を毎秒６０フィールドのテレビジョン放送用のインターレース信号へ変換することになる。このテレシネ変換では、一般に、一つのフレームを２フィールドに、次のフレームを３フィールドに対応するように２−３プルダウン変換し、５フィールドに１回、２フィールド前と同一のフィールドを繰り返すようにすることにより、毎秒６０フィールドのインターレースの信号（以下、テレシネ映像信号と呼ぶ）へ変換している。
なお、奇数番目のフレームを２フィールドに、偶数番目のフレームを３フィールドに対応するよう変換する場合を、狭い意味での「２−３プルダウン変換」と言い、奇数番目のフレームを３フィールドに、偶数番目のフレームを２フィールドに対応するよう変換する場合を「３−２プルダウン変換」と言い分ける場合があるが、これらは実質的に同じであるので、本願では、両者を「２−３プルダウン変換」と呼ぶ。
【０００３】
一方、近年では、インターレースのテレビジョン信号を高画質で表示する際、インターレース信号を順次走査（プログレッシブ）の信号に変換（以下、ＩＰ変換と呼ぶ）する処理が行われる。このＩＰ変換の際には、一般に、映像が静止画像である（動きが所定量以下である）場合には、時間的に隣接するフィールドの対応する走査線の画素をはめ込むことにより補間（フィールド間補間）し、動画像である（動きが所定量より多い）場合は、同一フィールド内の隣接走査線における画素により補間信号を生成する（フィールド内補間）という動き適応ＩＰ変換を行うことが知られている。さらに、上述のようなテレシネ映像信号であるインターレース信号のＩＰ変換を行う場合には、処理する映像信号がテレシネ映像信号であるか否かと、２−３プルダウンの位相（２−３プルダウンによって形成された５つのフィールドから成るシーケンスのうちの何番目のフィールドかを示す情報）を検出し、テレシネ映像信号に対しては、２−３プルダウンの位相に応じて、同じフレームから変換されたフィールドを用いて２−３プルダウン変換される前の順次走査信号を復元することにより、順次走査の映像信号に変換する。
【０００４】
従来のテレシネ映像信号を検出してＩＰ変換する映像信号処理装置では、２−３プルダウン方式によるテレシネ映像信号の場合、５フィールドに１回、２フィールド前と同一のフィールドが繰り返して変換されており、１フレーム前（つまりは、２フィールド前）のフィールドとの間の差分によれば、５フィールドに一度の周期で差分情報がゼロもしくは所定値以下となる静止画フィールドが存在するという特性を利用してテレシネ映像信号を検出し、テレシネ映像信号のＩＰ変換する映像信号処理装置が示されている。（例えば、特許文献１、２、３参照。）。
【０００５】
また、テレシネ検出における誤検出を防止し、安定にテレシネ映像信号のＩＰ変換を行うため、５フィールドで繰り返されるテレシネ映像信号のシーケンスにおける画面一致の回数をカウントし、カウント値によりテレシネ映像信号か否かを判断するものもある（例えば、特許文献４参照。）。
【０００６】
さらに、テレシネ映像信号におけるフレーム間差分の５フィールド毎の繰り返しシーケンスを検出するとともに、テレシネ映像信号ではない、所定のパターン外れを５フィールド内の差分情報から検出しているもの（例えば、特許文献５参照）、各フィールドで５フィールド前までのパターンを逐次判定するとともに、シーンチェンジ点を示す信号を外部もしくは入力信号からの検出により得て、シーンチェンジ点を示す信号を考慮して所定のパターン外れを求め、テレシネ映像信号を精度よく検出するものもある（例えば、特許文献６参照）。
【０００７】
【特許文献１】特許第３３９８３９６号公報（図１、図２）
【特許文献２】特開２００２−３３０４０８公報（図１、図２）
【特許文献３】特開２００２−３３５４４１公報（図１）
【特許文献４】特開２００２−２０４４３３公報（図１）
【特許文献５】特開２００３−７８９２６公報（図１、図２）
【特許文献６】特開２００３−１７９８８４公報（図１）
【発明の開示】
【発明が解決しようとする課題】
【０００８】
しかるに、従来の方法では、テレシネ映像信号の途中で、放送のための編集、ＣＭやテロップの挿入などにより、２−３プルダウンのフィールドシーケンスの規則性が乱れた場合、２−３プルダウンのフィールドシーケンスの位相のずれを検出することができず、そのため、正常な２−３プルダウンの位相に戻るまで、誤ったフィールドの信号を用いて生成した補間信号によりＩＰ変換してしまい、画像でずれが発生するなどの画質劣化が生じ、良好なテレシネ映像信号のＩＰ変換を行うことができないという問題があった。
【０００９】
本発明は、２−３プルダウンのフィールドシーケンスの乱れが生じた場合に、それを確実に検出して、テレシネ変換映像信号を用いた補間の代わりに、動き適応補間処理手段による補間の結果を採用することにより、画質劣化を抑制することを目的とする。
【課題を解決するための手段】
【００１０】
本発明は、
入力される飛び越し走査の映像信号から補間走査線を生成し、順次走査の映像信号に変換する映像信号処理装置であって、
映像信号をフィールド単位で複数フィールド分遅延するフィールド遅延手段と、
注目フィールドの映像信号と、注目フィールドの１フレーム前のフィールドの映像信号との間の相関を検出し、フレーム間の相関の強さに基づき、注目フィールドが静止画フィールドであるか動画フィールドであるかの判定を行う相関判定手段と、
上記相関判定手段からの出力信号に基づいて、２−３プルダウン方式でテレシネ変換された映像信号におけるテレシネ変換のフィールドシーケンスを検出し、上記テレシネ変換のフィールドシーケンスの検出結果から、上記入力された映像信号が、テレシネ変換された映像信号であるか否かを判定するテレシネシーケンス検出手段と、
上記相関判定手段からの出力信号と上記テレシネシーケンス検出手段の検出結果に基づいて、上記テレシネシーケンス検出手段が検出したテレシネ変換のフィールドシーケンス中において静止画フィールドとなるべき特定位相のフィールドとは異なるフィールドが静止画フィールドであるときにこれを検出するシーケンスずれ検出手段と、
上記テレシネシーケンス検出手段からの検出結果に基づいて、補間走査線信号を生成する処理を切り換える走査線補間手段とを備え、
上記テレシネシーケンス検出手段は、上記シーケンスずれ検出手段の出力をも用いて、上記テレシネ変換された映像信号であるか否かの判定を行なう
ことを特徴とする映像信号処理装置を提供するものである。
【発明の効果】
【００１１】
本発明によれば、テレシネ映像信号における５フィールドに一度の、２フィールド前と同一となるフィールドと異なるフィールドが静止画フィールドであるとき、これを検出して、２−３プルダウンのフィールドシーケンスの位相のずれを判定することにより、シーケンスの位相のずれと検出された時には、テレシネ映像信号の検出に基づくＩＰ変換を行う動作を解除するように構成したので、テレシネ映像信号中に２−３プルダウンのフィールドシーケンスの規則性が乱れた場合においても、テレシネ映像信号の検出を安定に行い、テレシネ映像信号のＩＰ変換における画質劣化を防止して、良好なテレシネ映像信号のＩＰ変換を行うことができるという効果がある。
【発明を実施するための最良の形態】
【００１２】
本発明の実施の形態における映像信号処理装置および映像信号処理方法は、１フレーム前のフィールドとの間の差分情報からテレシネ映像信号を検出するとともに、５フィールドに一度の、２フィールド前と同一となるフィールドと異なるフィールドが静止画フィールドであるとき、これを検出し、この検出結果に基づき、２−３プルダウン位相のずれがあったとしてテレシネ映像信号の検出に基づくＩＰ変換を行う動作を一時的に解除することを特徴とする。
【００１３】
実施の形態１．
図１は本発明の実施の形態１の映像信号処理装置の構成を示すブロック図である。図１の映像信号処理装置は、本発明の実施の形態１の映像信号処理方法の実施に用いられるものでもある。
【００１４】
図１に示される映像信号処理装置は、入力端子１００に供給される飛び越し走査の映像信号Ｉａを受けて、第１の端子１０１に実走査線信号Ｒとして出力するとともに、補間走査線信号Ｉを生成してこれを第２の端子１０２に出力し、これらを合成回路９で組合わせることにより、順次走査の映像信号ＰＲを生成して出力端子１０３から出力するものであり、このような飛び越し走査の映像信号から順次走査の映像信号への変換（ＩＰ変換）に際し、入力される飛び越し走査の映像信号Ｉａが、所定の条件を満たすテレシネ映像信号であるかどうかの判定を行い、その判定結果に応じて互いに異なる補間処理のいずれかを行って、ＩＰ変換を行うものである。
【００１５】
図示のようにこの映像信号処理装置は、タイミング信号発生手段１と、第１及び第２の１フィールド遅延手段２及び３と、映像信号のフレーム間差分に基づき動きを検出する動き検出手段４と、動き検出手段４の出力に従い、動きに応じた走査線補間処理を行う動き適応補間演算手段５と、入力映像信号がテレシネ映像信号か否かを検出するテレシネ検出手段６と、テレシネ検出手段６からの信号に基づき２−３プルダウンの信号に対応した走査線補間処理を行うテレシネ補間処理手段７と、テレシネ検出手段６からのテレシネ映像信号の検出結果に応じて、動き適応補間演算手段５とテレシネ補間処理手段７からの信号のいずれかを選択して出力する選択手段８と、第１の１フィールド遅延手段の出力と、選択手段８の出力とを倍速変換し、走査線ごとに交互に切り換えて組み合わせ、順次走査の映像信号ＰＲを出力する合成手段９とを有する。
【００１６】
タイミング信号発生手段１は、入力端子１００から入力されたインターレースの映像信号から垂直及び水平同期信号を分離し、分離した同期信号に基づき、タイミング信号を発生する。例えば、垂直同期信号に基づき、フィールド毎のタイミングを示すフィールドパルスＶｐ、１フィールド内の所定の領域を示すためのエリア信号ｔｅを発生する。
【００１７】
１フィールド遅延手段２は、入力端子１００から入力されたインターレースの映像信号を１フィールド分遅延し、１フィールド遅延手段３は、１フィールド遅延手段２からの信号をさらに１フィールド分遅延するものであり、これらの組合せは、映像信号をフィールド単位で複数フィールド分遅延させる。
【００１８】
入力端子１００からの入力信号Ｉａを現フィールド信号として、１フィールド遅延手段２、３の出力信号Ｉｂ、Ｉｃは、それぞれ１フィールド遅延信号、２フィールド遅延信号と呼ぶこともあり、また、後に説明する理由で、入力端子１００に供給される信号を、注目フィールドの映像信号（Ｉａ）と呼び、第１の１フィールド遅延手段２の出力を、注目フィールドの１フィールド前の映像信号（Ｉｂ）と呼び、第２の１フィールド遅延手段３の出力を、注目フィールドの２フィールド前、即ち１フレーム前の映像信号（Ｉｃ）と呼ぶことがある。
【００１９】
動き検出手段４は、入力端子１００からのインターレースの映像信号である現フィールド信号Ｉａと１フィールド遅延手段３からの２フィールド遅延信号Ｉｃが入力され、２つのフィールドにおける信号間の差分情報を求める。そして、得られた差分情報に基づき、１フレーム間の映像信号の動きを検出し、信号の動きを示す動き検出信号を出力して、動き適応補間演算手段５へと送る。
【００２０】
動き適応補間演算手段５は、１フィールド遅延手段２からの１フィールド遅延信号と１フィールド遅延手段３からの２フィールド遅延信号に対し、動き検出手段４からの出力である動き検出信号に基づき、動き適応ＩＰ変換を行う。補間走査線の信号の生成処理は、１フィールド遅延信号（Ｉｂ）を補間対象として行われ、よって、動き検出信号に基づいて、時間的に隣接するフィールド、例えば時間的に前の２フィールド遅延信号（Ｉｃ）から対応する走査線の画素をはめ込むによるフィールド間補間、もしくは、補間対象フィールド（１フィールド遅延信号Ｉｂ）内の近傍の映像信号、例えば垂直方向の上下に位置する画素信号からのフィールド内補間処理を行い、補間走査線における補間信号Ｉｍを出力する。
【００２１】
以上のように、動き検出手段４と、動き適応補間演算手段５とで、補間対象フィールドの映像信号（Ｉｂ）に対し、補間対象フィールド内において近傍に位置する画素の値を表す映像信号、例えば隣接走査線に基づく演算処理により補間信号を生成するフィールド内補間、もしくは、補間対象フィールドに時間的に隣接するフィールド、例えば時間的に前の映像信号Ｉｃに基づく演算処理により補間信号を生成するフィールド間補間を行う動き適応補間処理手段（第１の補間処理手段）４５が構成されている。
【００２２】
テレシネ検出手段（第２の補間処理手段）６には、入力端子１００からの現フィールド信号（Ｉａ）と１フィールド遅延手段３からの２フィールド遅延信号（Ｉｃ）が入力される。テレシネ検出手段６は、１フレーム間の差分情報から、２−３プルダウンのフィールドシーケンスを検出して、入力映像信号Ｉａがテレシネ映像信号であるか否かを検出するとともに、フィールドシーケンスを検出し、テレシネ映像信号の検出を示すテレシネ検出信号ｔｃｉと２−３プルダウンのフィールドシーケンスの位相を示すシーケンス位相信号ｔｃｆを発生し出力する。そして、テレシネ検出手段６の出力であるシーケンス位相信号ｔｃｆはテレシネ補間処理手段７へ、テレシネ検出信号ｔｃｉは選択手段８へ制御信号として送られる。このテレシネ検出手段６の詳細な構成については後述する。
【００２３】
テレシネ補間処理手段７は、入力端子１００からの現フィールド信号（Ｉａ）と１フィールド遅延手段３からの２フィールド遅延信号Ｉｃが入力され、テレシネ検出手段６、特にそのテレシネシーケンス検出手段２１からのシーケンス位相信号ｔｃｆに基づき、フィールドシーケンスの位相に応じて、補間対象フィールド（Ｉｂ）の１フィールド前のフィールドの信号（２フィールド遅延信号）（Ｉｃ）または補間対象フィールドの１フィールド後のフィールド（現フィールド）の信号（Ｉａ）のいずれかを選択して、補間対象フィールド（Ｉｂ）の補間走査線の信号（テレシネ補間信号）Ｉｔとして出力する。
【００２４】
選択手段８は、動き適応補間処理手段４５からの走査線補間信号Ｉｍとテレシネ補間処理手段７からのテレシネ補間信号Ｉｔのいずれか一方を、テレシネ検出手段６から出力されるテレシネ検出信号ｔｃｉに従って選択し、補間走査線信号Ｉとして端子１０２へと送る。テレシネ検出信号ｔｃｉはテレシネ映像信号であるか否かの検出結果を示す信号であり、テレシネ検出信号ｔｃｉがテレシネ映像信号であることを示す場合には、選択手段８において、テレシネ補間処理手段７からのテレシネ補間信号Ｉｔを選択し、テレシネ検出信号ｔｃｉがテレシネ映像信号でないことを示す場合には、通常の映像信号であるとして動き適応補間処理手段４５からの信号Ｉｍを選択する。
このような選択は、１フィールド毎に行われる。
【００２５】
そして、端子１０１へは、１フィールド遅延手段２からの１フィールド遅延信号Ｒが実走査線の信号として出力され、端子１０２へは、選択手段８からの補間信号が補間走査線の信号Ｉとして出力され、この端子１０１、１０２からの出力を合成回路９で倍速変換し、走査線ごとに交互に切り換えて組み合わせることにより、順次走査の映像信号ＰＲが得られる。
【００２６】
上述した動き適応補間処理手段４５と、テレシネ補間処理手段７と、選択手段８とで、走査線補間手段４０が構成される。
【００２７】
テレシネ検出手段６は、相関判定手段３０と、テレシネ判定手段２０とを有する。
相関判定手段３０は、映像信号の注目フィールド（Ｉａ）の映像信号と、注目フィールドの１フレーム前のフィールド（Ｉｃ）との間の相関を検出し、フレーム間の相関の強さに基づき、注目フィールドが静止画フィールドであるか動画フィールドであるかの判定を行う。
【００２８】
例えば、相関判定手段３０は、映像信号の注目フィールド内における所定のエリア（領域）内の各画素について、１フレーム前のフィールドにおける同一位置の画素との間の差分値が所定値よりも大きい画素の数が所定数以上かどうかに基づいて、注目フィールドが静止画フィールド（１フレーム前と比較して動きの量が所定値以下である）か動画フィールド（１フレーム前と比較して動きの量が所定値を超える）かを判定する。
【００２９】
相関判定手段３０は、画素差分検出手段１１と、差分比較手段１２と、所定エリア内累積カウンタ１３と、フィールド状態判定手段１４とを有する。
【００３０】
相関判定手段３０内の画素差分検出手段１１には、入力端子１００からの現フィールド信号と１フィールド遅延手段３からの２フィールド遅延信号が入力される。
画素差分検出手段１１は、現フィールドの映像信号（注目フィールドの映像信号）の各画素について、２フィールド遅延信号（注目フィールドより１フレーム前の映像信号）の同一位置の画素との間の差分値を求め、この差分値に基づく差分情報（１フレーム間差分情報）例えば差分の絶対値を検出し、出力する。
【００３１】
差分比較手段１２は、画素差分検出手段１１からの１フレーム間差分情報が入力され、所定の閾値と比較し、比較結果を出力する。この比較により、各画素での動きの有無が判定され、比較結果は、動きの有無の判定結果として用いられる。
比較は、例えば、１フレーム間差分情報が所定の閾値以下であればその画素を静止画素として、所定の閾値より大きければ動画素と判断し、結果として、２値化した値を出力する。２値化した値は、例えば、静止画素と判断された場合は値“０”を、動画素と判断された場合は値“１”とする。なお、この２値化した値は、これに限るものではなく、比較により静止画素または動画素として判断された各画素の結果を示す値であればよい。
【００３２】
所定エリア内累積カウンタ１３は、差分比較手段１２からの出力に基づき、フィールド内の所定のエリア内の画素に対し、動きと判定された画素を数えるものであり、差分比較手段１２により静止画素もしくは動画素として２値化された値と、タイミング信号発生手段１からの１フィールド内の所定エリアを示すエリア信号ｔｅ、フィールドパルスＶｐが入力される。所定エリア内累積カウンタ１３は、静止画素もしくは動画素として２値化された値に応じて、タイミング信号発生手段１からの１フィールド内の所定エリアを示すエリア信号ｔｅに示されたエリア内において、動画素となる値の画素の数を計数する。つまり、差分比較手段１２からの動画素と判断された値“１”となる場合をエリア信号ｔｅのエリア内に亘って計数して、タイミング信号発生手段１からのフィールドパルスＶｐに応じて、計数結果（カウント値）を１フィールド内の動画素の数に対応する値（動画素数）として出力する。
なお、動画素を数える代わりに、静止画素を数えるようにしても良い。
【００３３】
ここで、映像信号によっては、レターボックスと呼ばれる画面上下の帯部分に黒信号部（無画部）が存在する映画素材で送られる場合があり、エリア信号ｔｅは、例えば１フィールド内のこの上下の帯部分と画像のブランキング期間を除く画素の期間を示す信号としてタイミング信号発生手段１において発生される。したがって、所定エリア内累積カウンタ１３では、上下の帯部分と画像のブランキング期間を除くエリア内における動画素の数を１フィールド内の動画素数として出力することなり、誤判定を防止できる。
【００３４】
なお、上記のように、画素差分検出手段１１において、１フィールドの全体の画素について差分を求め、所定エリア内累積カウンタ１３で所定のエリア内の、動画素（差分の大きい画素）を数える代わりに、画素差分検出手段１１において、所定のエリア内の画素についてのみ差分を求め、所定エリア内累積カウンタ１３の代わりに、エリアを限定されない累積カウンタを用いて、すべての動画素（差分の大きい画素）を数えることとしても良い。
【００３５】
また、相関判定手段３０として、上記のように、注目フィールド内における所定のエリア内の各画素について、１フレーム前のフィールドにおける同一位置の画素との間の差分値が所定値よりも大きい画素の数が所定数以上かどうかに基づいて、注目フィールドが静止画フィールドか動画フィールドかを判定する代わりに、注目フィールドの全領域における各画素について、１フレーム前のフィールドにおける同一位置の画素との間の差分値が所定値よりも大きい画素の数が所定数以上かどうかに基づいて、注目フィールドが静止画フィールドか動画フィールドかを判定するものを用いても良い。
【００３６】
フィールド状態判定手段１４は、所定エリア内累積カウンタ１３から出力される１フィールド内の動画素数（計数結果）を所定値と比較し、そのフィールド（注目フィールド）が静止画フィールドであるか動画フィールドであるかを判定する。
【００３７】
ここで、フィールド状態判定手段１４では２つの比較のための所定値を設定できるものであり、例えば図２に示すように、第１の所定値（閾値）を設定した第１の比較手段１４ａと、第２の所定値（閾値）を設定した第２の比較手段１４ｂとを有し、これらから比較結果を示す第１の信号Ｓ１及び第２の信号Ｓ２が出力される。第１及び第２信号は、ともに静止画フィールドであることを示すときに、値が“１”となり、それ以外のときに値が“０”となる。
後述のように、第１の信号は、テレシネシーケンス検出手段２１で用いられ、第２の信号はシーケンスずれ検出手段２２で用いられる。
第１および第２の所定値は、互いに異なる値のものであっても良く、同一の値であっても良い。
【００３８】
フィールド状態判定手段１４に入力された動画素数（すなわち、画素カウントの対象となったフィールドの所定エリア内の動画素の数）が第１の所定値Ｔ１以下の場合、信号Ｓ１の値が“１”となり、第１の所定値Ｔ１を基準にして判断した結果は「静止画」であることが示され、そうでなければ、信号Ｓ１の値が“０”となり、第１の所定値Ｔ１を基準にして判断した結果は「動画」であることが示される。
同様に、フィールド状態判定手段１４に入力された動画素数（すなわち、画素カウントの対象となったフィールドの所定エリア内の動画素の数）が第２の所定値Ｔ２以下の場合、Ｓ２の値が“１”となり、第２の所定値Ｔ２を基準にして判断した結果は「静止画」であることが示され、そうでなければ、Ｓ２の値が“０”となり、第２の所定値Ｔ２を基準にして判断した結果は「動画」であることが示される。
従って、第１および第２の所定値による検出結果を示す信号Ｓ１及びＳ２は、フィールドが静止画か動画かを示すものであり、これらの信号Ｓ１及びＳ２が相関判定手段３０の出力として、テレシネ判定手段２０へと出力される。
【００３９】
テレシネ判定手段２０には、フィールド状態判定手段１４からのフィールドの信号Ｓ１、Ｓ２と、タイミング信号発生手段１からのフィールドパルスＶｐが入力される。そして、フィールドパルスＶｐのタイミングで、テレシネ映像信号の５フィールドのシーケンスを検出して、入力映像信号がテレシネ映像信号であるか否かと２−３プルダウンのフィールドシーケンスの位相（２−３プルダウン位相）を判別し、テレシネ映像信号の検出を示すテレシネ検出信号ｔｃｉとフィールドシーケンスの位相を示すシーケンス位相信号ｔｃｆを出力する。
【００４０】
テレシネ判定手段２０は、テレシネシーケンス検出手段２１とシーケンスずれ検出手段２２とを有する。
テレシネシーケンス検出手段２１は、５フィールド分の相関判定手段3０からの信号Ｓ１に基づいて、２−３プルダウン方式でテレシネ変換された映像信号におけるテレシネ変換のフィールドシーケンスを検出し、テレシネ変換のフィールドシーケンスの検出結果から、順次入力される映像信号が、テレシネ変換された映像信号であるか否かを判定する（ｔｃｉ、ｔｃｆ）ものである。
シーケンスずれ検出手段２２は、相関判定手段３０からの出力信号Ｓ２とテレシネシーケンス検出手段２１の検出結果ｔｃｉ、ｔｃｆに基づいて、テレシネシーケンス検出手段２１が検出したテレシネ変換のフィールドシーケンス中において静止画となるべき位相のフィールドとは異なるフィールドが静止画フィールドであるときに、そのことを検出するものである。
後述のように、テレシネ変換された映像信号では、５フィールドで１つのシーケンスが形成され、そのうちの特定の位相（シーケンス内の順序）のフィールドが静止画フィールドとなる。即ち、５フィールド毎に１回静止画となるフィールドが現われる。そのような位相を本明細書では「特定位相」と言う。本発明では、特定位相のフィールド以外のフィールドが静止画フィールドであることが検出された場合、これに基づいてシーケンスずれを検出することとしている。
テレシネシーケンス検出手段２１は、シーケンスずれ検出手段２２の出力をも用いて、上記テレシネ変換された映像信号であるか否かの判定を行う。
以下に詳しく説明するように、テレシネシーケンス検出手段２１からの検出結果に基づいて、走査線補間手段４０における補間走査線信号を生成する処理が切り換えられる。
【００４１】
図３は、テレシネ判定手段２０の一例の構成を示すブロック図である。
なお、図３中にフィールドパルスＶｐは図示していないが、各ブロックでの動作は、フィールド単位で行われ、タイミング信号発生手段１からのフィールドパルスＶｐのタイミングに基づき動作する。
【００４２】
図３に示すテレシネ判定手段２０内のテレシネシーケンス検出手段２１は、動画フィールドカウンタ２１１と、テレシネシーケンス位相検出手段２１２と、動画フィールドカウント値比較手段２１３と、静止画フィールド連続検出手段２１４と、テレシネ検出信号生成手段２１５とを備えている。
【００４３】
動画フィールドカウンタ２１１は、相関判定手段３０で動画フィールドと判定されたフィールドの連続数を検出するものである。
動画フィールドカウンタ２１１には、フィールド状態判定手段１４からの信号Ｓ１が入力される。動画フィールドカウンタ２１１は、信号Ｓ１が静止画フィールドを示すフィールドでリセットされ、信号Ｓ１が動画フィールドであることを示す度に、カウントし（カウント値を１だけ増加し）、フィールドパルスＶｐのタイミングで前フィールドまでのカウント値ｍｆを動画フィールドの連続数として出力する。
【００４４】
テレシネシーケンス位相検出手段２１２は、相関判定手段３０からの信号Ｓ１と動画フィールドカウンタ２１１からの出力ｍｆにより、テレシネ変換された映像信号におけるテレシネ変換のフィールドシーケンスを検出するものである。
テレシネシーケンス位相検出手段２１２には、フィールド状態判定手段１４からの信号Ｓ１と、動画フィールドカウンタ２１１からの動画フィールドの連続数ｍｆが入力される。テレシネシーケンス位相検出手段２１２では、フィールドパルスＶｐに基づき５フィールド毎に０から４まで繰り返しカウントを行い、信号Ｓ１とその前フィールドまでの動画フィールドの連続数ｍｆに基づき、繰り返しの周期を計数するカウンタのリセットを行う。つまり、信号Ｓ１が“１”であり（静止画フィールドであることを示し）、前フィールドまでの動画フィールドの連続数ｍｆが“４”であるとき、テレシネ映像信号における特定位相のフィールドが静止画フィールドであるとして、カウント値を“０”へリセットする。そして、シーケンス位相信号ｔｃｆとして、カウント値を出力する。この信号ｔｃｆは、５フィールド単位で繰り返し、５フィールド毎に一度の特定位相の静止画フィールドに同期してリセットされるので、５フィールドの繰り返しシーケンスの位相を示すものであり、テレシネ補間処理手段７およびシーケンスずれ検出手段２２へと送られる。
【００４５】
テレシネシーケンス位相検出手段２１２は、例えば、図４に示すように、相関判定手段３０からの信号Ｓ１と動画フィールドカウンタ２１１からの出力ｍｆとに基づいて、動画フィールドが４フィールド連続した後、静止画フィールドとなるフィールドのタイミングを検出する特定位相フィールド検出手段２１２ａと、特定位相フィールド検出手段２１２ａにより検出された静止画フィールドに同期して５フィールド周期で繰り返す信号ｔｃｆを生成する位相信号発生手段２１２ｂとを備えており、位相信号発生手段２１２ｂから出力される信号が、２−３プルダウンの変換位相であるフィールドシーケンスの位相を示す信号ｔｃｆとして出力される。
位相信号発生手段２１２ｂは、例えば、フィールドパルスＶｐをカウントし、特定位相フィールド検出手段２１２ａの出力でリセットされるカウンタで構成される。
【００４６】
動画フィールドカウント値比較手段２１３は、動画フィールドカウンタ２１１からの動画フィールドの連続数ｍｆが入力され、動画フィールドの連続数ｍｆを所定値と比較し、連続数が所定値以上となる場合を検出し、検出結果を出力する。テレシネ映像信号では５フィールドに１回２フィールド前と同一のフィールドがあるので、動画フィールドカウンタ２１１からの動画フィールドの連続数ｍｆが５フィールド以上とならないことを考慮し、検出に用いる所定値は「５」とし、５フィールド以上の連続時に、例えば“１”となる検出結果（２１３ＯＵＴ）を出力し、テレシネ検出信号生成手段２１５へと送る。
【００４７】
静止画フィールド連続検出手段２１４は、相関判定手段３０で静止画と判定されたフィールドが連続して所定回数以上発生したときにこれを示す信号を発生するものであり、図示のように、静止画フィールドカウンタ２１４ａと、静止画フィールドカウント値比較手段２１４ｂとを有する。
静止画フィールドカウンタ２１４ａには、相関判定手段３０のフィールド状態判定手段１４からの信号Ｓ１が入力され、信号Ｓ１が“１”であるフィールド（静止画フィールド）をカウントし、カウント値が静止画フィールドカウント値比較手段２１４ｂで所定値と比較され、所定値以上と判定されたときに、信号２１４ＯＵＴが“１”となり、このことにより、静止画フィールドが所定フィールド数以上連続する場合を検出する。
そのためまず、信号Ｓ１が動画フィールドを示すフィールドでは、静止画フィードカウンタ２１４ａのカウント値をゼロへリセットし、信号Ｓ１が静止画フィールドを示すフィールドでは、カウント値を１だけ増加する。
そして、静止画フィールドカウント値比較手段２１４ｂで、静止画フィールドのカウント値を所定の値と比較し、カウント値（連続数）が所定値以上となる場合に出力２１４ＯＵＴを“１”とし、テレシネ検出信号生成手段２１５へと送る。静止画フィールドカウント値比較手段２１４ｂで比較に用いられる所定値はテレシネ映像信号の５フィールドの繰り返しシーケンスを考慮し、例えば、「５」とする。即ち５フィールド以上連続した場合に出力２１４ＯＵＴが“１”となる。
【００４８】
テレシネ検出信号生成手段２１５は、フィールドシーケンスの繰り返し数と、動画フィールドカウンタ２１１からのカウント値ｍｆと、静止画フィールド連続検出手段２１４からの出力２１４ＯＵＴと、シーケンスずれ検出手段２２からの出力ｄｅｔ＿ＢＥとに基づき、さらに相関判定手段３０からの信号Ｓ１と動画フィールドカウンタ２１１からのカウント値ｍｆとに基づき、検出したテレシネ変換のフィールドシーケンスの繰り返し数を求め、順次入力される映像信号がテレシネ変換されたものであるか否かの検出を行うものである。
テレシネ検出信号生成手段２１５の出力ｔｃｉがテレシネ変換された映像信号であるか否かを示す信号として出力され、テレシネシーケンス検出手段２１２の出力ｔｃｆがテレシネ変換のフィールドシーケンスの位相を示す信号として出力される。
【００４９】
テレシネ検出信号生成手段２１５は、例えば、図５に示すように、動画フィールドカウント値比較手段２１３からの出力２１３ＯＵＴと、静止画フィールド連続検出手段２１４からの出力２１４ＯＵＴと、シーケンスずれ検出手段２２からの出力ｄｅｔ＿ＢＥとに基づいて、リセット条件を判定するリセット条件判定手段２１５ａと、リセット条件判定手段２１５ａの出力によってリセットされ、相関判定手段３０からの信号Ｓ１と動画フィールドカウンタ２１１からのカウント値ｍｆに基づいて、動画フィールドが４フィールド連続した後、静止画フィールドとなるフィールドシーケンスの連続数を求めるフィールドシーケンス連続数検出手段２１５ｂと、フィールドシーケンス連続数検出手段２１５ｂによって求められた連続数（カウント値）ｆｓｃを所定値と比較するフィールドシーケンス連続数比較手段２１５ｃとを備えており、フィールドシーケンス連続数比較手段２１５ｃの出力信号を、上記テレシネ変換された映像信号であるか否かを示す信号ｔｃｉとして出力する。
【００５０】
フィールドシーケンス連続数検出手段２１５ｂは、上記相関判定手段３０からの出力信号Ｓ１が、静止画フィールドであることを示し、かつ上記動画フィールドカウンタ２１１からの出力ｍｆが４を示すときに、カウント値を１だけ増加するものであり、例えば、図５に示すように、動画フィールド連続数比較手段２１５ｅと、アンドゲート２１５ｆと、フィールドシーケンスカウンタ２１５ｇとを有する。
動画フィールド連続数比較手段２１５ｅは、ｍｆが“４”となるフィールドの判定を行い、ｍｆが“４”の場合に“１”を出力する。
アンドゲート２１５ｆは、動画フィールド連続数比較手段２１５ｅの出力と、信号Ｓ１とがともに“１”のときその出力が“１”となる。
フィールドシーケンスカウンタ２１５ｇは、リセット条件判定手段２１５ａの出力でリセットされ、アンドゲート２１５ｆの出力をカウントする。
【００５１】
リセット条件判定手段２１５ａは、動画フィールドカウント値比較手段２１３からの出力２１３ＯＵＴにより、動画フィールドの連続数が所定値、例えば５以上であることが示されているとき、静止画フィールド連続検出手段２１４からの出力２１４ＯＵＴにより、静止画フィールドの連続数が所定値、例えば５以上であることが示されているとき、シーケンスずれ検出手段２２からの出力ｄｅｔ＿ＢＥにより、シーケンスずれが生じたことが示されているとき、のいずれかの条件が満たされているとき、上記フィールドシーケンス連続数検出手段２１５ｂのフィールドシーケンスカウンタ２１５ｇをリセットする。
【００５２】
まず、テレシネ映像信号であるか否かの検出およびテレシネ検出信号ｔｃｉの生成について説明する。テレシネ検出信号生成手段２１５は、信号Ｓ１とその前フィールドまでの動画フィールドの連続数ｍｆに基づき、動画フィールドが４フィールド連続した後静止画フィールドとなる５フィールドのシーケンスを検出した場合をカウントする。すなわち、信号Ｓ１が“１”であり（静止画フィールドであることを示し）、前フィールドまでの動画フィールドの連続数ｍｆ＝４のとき、テレシネ映像信号の５フィールドのシーケンスを検出したとして、５フィールドのシーケンスの繰り返し回数をフィールドシーケンスカウンタ２１５ｇでカウントする。カウント値が所定の値以上になったとき、つまりは、テレシネ映像信号の５フィールドのシーケンスが所定の回数連続したときは、これがフィールドシーケンス連続数比較手段２１５ｃで検出され、入力された映像信号がテレシネ映像信号であると検出して、テレシネ検出信号ｔｃｉを生成し出力する。テレシネ検出信号ｔｃｉは、例えば、テレシネ映像信号であると検出した場合には、“１”として出力し、テレシネ映像信号以外である場合やテレシネ映像信号であると検出される（確認される）までの間、或いは検出が解除された場合など、テレシネ映像信号ではないとする場合は“０”と設定する。なお、テレシネ検出信号の値は、これに限らず、テレシネ映像信号を検出している場合とそれ以外の信号とする場合を判別できればよい。
【００５３】
テレシネ検出信号生成手段２１５でのテレシネ検出信号ｔｃｉの解除（すなわち、入力映像信号がテレシネ映像信号ではないとする場合）は、動画フィールドが所定フィールド（５フィールド）以上連続することが検出された場合と、静止画フィールドが所定フィールド（５フィールド）以上連続することが検出された場合と、テレシネ映像信号の検出中に、編集などによる２−３プルダウンのフィールドシーケンスの変更等により、２−３プルダウン位相がずれた場合に、５フィールドのシーケンスの連続数をカウントするフィールドシーケンスカウンタ２１５ｇでのカウント値ｆｓｃをゼロへリセットし、テレシネ検出信号ｔｃｉを無効“０”とすることにより行われる。すなわち、動画フィールドカウント値比較手段２１３の出力と静止画フィールド連続検出手段２１４の出力、およびシーケンスずれ検出手段２２からの出力ｄｅｔ＿ＢＥに基づき、いずれかの検出結果が送られた場合に、シーケンスの連続を検出するカウントの値をゼロへリセットし、テレシネ検出信号ｔｃｉを“０”とすることで、テレシネ検出信号ｔｃｉが解除され、テレシネ映像信号でないと検出することになる。そして、解除後は、再び上記の５フィールドのシーケンスが検出されると再びフィールドシーケンス連続数検出手段２１５ｂによる計数、フィールドシーケンス連続数比較手段２１５ｃによる比較が行われ、比較結果により、テレシネ検出信号ｔｃｉが“１”となる動作が繰り返される。
【００５４】
シーケンスずれ検出手段２２は、図６に示すように構成され、テレシネ映像信号であることを検出中（ｔｃｉ＝１）に、５フィールドから成るシーケンスの途中に一度の特定位相のフィールドとは異なるフィールドが静止画フィールドとなったことを検出して、フィールドシーケンスの２−３プルダウン位相のずれを検出する。図６は、シーケンスずれ検出手段２２の一例の構成を示す。図６に示すシーケンスずれ検出手段２２は、静止画フィールドカウンタ２２１と、カウント値比較手段２２２を備え、カウント値比較手段２２２の出力がシーケンスずれ検出手段２２の出力ｄｅｔ＿ＢＥとして出力される。
【００５５】
静止画フィールドカウンタ２２１には、フィールド状態判定手段１４からの、静止画かどうかを示す信号Ｓ２と、テレシネシーケンス検出手段２１からのテレシネ検出信号ｔｃｉと２−３プルダウン位相を示すシーケンス位相信号ｔｃｆが入力される。静止画フィールドカウンタ２２１は、テレシネシーケンス検出手段２１からのテレシネ検出信号ｔｃｉが、入力映像信号がテレシネ映像信号であることを示す場合（即ち、ｔｃｉ＝１の場合）、フィールド状態判定手段１４からの信号Ｓ２が静止画フィールドであることを示すフィールドをカウントする。但し、静止画フィールドのカウントは、２−３プルダウン位相を示すシーケンス位相信号ｔｃｆの１周期毎に行い、５フィールド毎に一度の特定位相の静止画フィールド（ｔｃｆ＝４）でカウント値を“０”へリセットする。よって、テレシネ映像信号における５フィールドに一度の特定位相のフィールドとは異なるフィールドで、信号Ｓ２が“１”となる度に、カウント値を１だけ増加し、これにより、信号Ｓ２が“１”となるフィールドを数え、そのカウント値を出力する。この静止画フィールドカウンタ２２１でのカウント値２２１ＯＵＴは、カウント値比較手段２２２へと出力される。
【００５６】
カウント値比較手段２２２は、静止画フィールドカウンタ２２１からのカウント値２２１ＯＵＴを所定値と比較し、所定値以上の場合に、５フィールドのシーケンス途中での静止画フィールドの検出を示す信号を、例えば“１”として出力する。テレシネ映像信号の場合、５フィールド毎に一度特定位相のフィールドが静止画フィールドとなるため、シーケンス途中におけるその特定位相のフィールドとは異なるフィールドが静止画フィールドであることを検出した場合には、シーケンスの規則性が乱れ、２−３プルダウン位相のずれがあると判断できる。よって、この比較結果を２−３プルダウン位相のずれを示す信号ｄｅｔ＿ＢＥとして出力する。なお、上記の比較で用いられる所定値は、例えば“１”とする。
【００５７】
そして、シーケンスずれ検出手段２２内の比較手段２２からの出力ｄｅｔ＿ＢＥは、テレシネ映像信号であることを示すテレシネ検出信号ｔｃｉを解除するため、２−３プルダウン位相のずれを示す信号としてテレシネ検出信号生成手段２１５へと送られる。
【００５８】
上述したように、テレシネ検出信号生成手段２１５ではテレシネ検出信号ｔｃｉを生成しており、シーケンスずれ検出手段２２内の比較手段２２からの出力ｄｅｔ＿ＢＥにおいて、テレシネ映像信号の途中に２−３プルダウン位相のずれが検出された場合にも、フィールドシーケンスカウンタ２１５ｇのカウント値ｆｓｃをゼロへリセットし、テレシネ検出信号ｔｃｉ＝０とする。したがって、シーケンスずれ検出手段２２においてテレシネ映像信号の途中に２−３プルダウン位相のずれが検出された場合には、テレシネ検出信号ｔｃｉは、ｔｃｉ＝“０”となり、テレシネ検出信号が解除されてテレシネ映像信号ではないことを示し、図１における選択手段８では、通常の映像信号であるとして動き適応補間処理手段４５からの信号を選択することになる。
【００５９】
次に、まず、編集点等がなく、２−３プルダウンの位相が規則正しく送られたテレシネ映像信号が入力端子１００から入力されたとして、テレシネ映像信号を検出するテレシネ検出手段６の動作について説明する。
【００６０】
図７は、２−３プルダウン方式によるテレシネ変換でのテレシネ映像信号の、変換前の映像信号との関係を示す図である。映画フィルム等の信号の第１フレームＡが映像信号の第１および第２フィールドＡｔ、Ａｂに対応し、第２フレームＢが映像信号の第３から第５フィールドのＢｔ，Ｂｂ，Ｂｔに対応し、第３フレームＣが映像信号の第６および第７フィールドＣｂ，Ｃｔに、第４フレームＤが映像信号の第８から第１０フィールドのＤｂ，Ｄｔ，Ｄｂに対応するよう変換される。なお、図中の添字ｔは、相対的に上ラインのフィールドとなるトップフィールドを表し、添字ｂは、下ラインのフィールドとなるボトムフィールドを表すものとする。
【００６１】
図７から、第３フィールドＢｔと第５フィールドＢｔとが同一内容のフィールドであり、第８フィールドＤｂと第１０フィールドＤｂとが同一内容のフィールドであるように、５フィールドに１回、２フィールド前と同一のフィールドを繰り返す。したがって、テレシネ検出手段６内の画素差分検出手段１１において得られる１フレーム間差分情報は、第５フィールド、第１０フィールドでの検出で、ゼロもしくは所定値（ゼロに近いノイズ分を考慮した値）以下となる。この１フレーム差分情報の関係は、５フィールド毎に１回繰り返し発生する。
【００６２】
図８は、図７で示すテレシネ映像信号が入力された場合の、図１のテレシネ検出手段６の各部に現われる信号を示す図である。テレシネ検出手段６の検出動作を説明するための図である。図８中の（ｂ）、（ｃ）および（ｄ）は入力端子１００から入力されたインターレースの映像信号Ｉａと、１フィールド遅延手段２による１フィールド遅延信号Ｉｂと、１フィールド遅延手段３による２フィールド遅延信号Ｉｃを示す。画素差分検出手段１１は、入力信号と２フィールド遅延信号間での１フレーム間差分情報を検出し、差分比較手段１２でこの１フレーム間差分情報を２値化し、所定エリア内累積カウンタ１３において、所定のエリア内の動画素となる画素の数を計数することで、フィールド内の動画素数を得る。そして、フィールド状態判定手段１４では、１フィールド内の動画素数を所定値と比較し、そのフィールドが静止画フィールドの状態であるか否かを検出するので、信号Ｓ１は、図８（ｅ）にあるように、第５フィールドおよび第１０フィールドの次のフィールド位置で、静止画フィールドを示す値（図中では“１”）となり、５フィールドに一度完全静止画フィールドが検出されることとなる。なお、図８（ｅ）で
“０”は、信号Ｓ１が動画フィールドであることを示すときの値である。
【００６３】
テレシネシーケンス検出手段２１内の動画フィールドカウンタ２１１は、信号Ｓ１が“１”のとき（静止画フィールドであることを示すとき）、“０”へリセットし、信号Ｓ１が“０”のとき（動画フィールドであることを示すとき）、カウント値を１だけ増加することで、前フィールドまでの動画フィールドの連続数ｍｆを出力する（図８（ｆ））。テレシネシーケンス位相検出手段２１２では、５フィールド毎に０から４まで繰り返しカウントを行うが、信号Ｓ１が“１”であり（静止画フィールドであることを示し）、動画フィールドの連続数ｍｆが４のとき、テレシネ映像信号のシーケンスと５フィールドに一度の静止画フィールドを検出したとして、カウント値を“０”へリセットする。
【００６４】
図８（ｇ）はシーケンス位相信号ｔｃｆの一例を示し、信号Ｓ１が “１”であり、動画フィールドの連続数ｍｆが“４”のフィールドの後（次のフィールドで）、カウント値を０とする例である。図から、５フィールド単位で繰り返す信号となっており、この場合の２−３プルダウンの位相としては、シーケンス位相信号ｔｃｆ＝０、２の場合、入力現フィールド（Ｉａ）と１フィールド遅延信号Ｉｂとが同一フレームからのフィールドとなり、シーケンス位相信号ｔｃｆ＝３では入力現フィールドＩａと２フィールド遅延信号Ｉｃが同一内容のフィールド、ｔｃｆ＝１，４で２フィールド遅延信号Ｉｃと１フィールド遅延信号Ｉｂとが同一フレームからのフィールドとなる。よって、テレシネ補間処理手段７では、シーケンス位相信号ｔｃｆに応じて、シーケンス位相信号ｔｃｆ＝０、２の場合は入力現フィールドの映像信号Ｉａを、シーケンス位相信号ｔｃｆ＝３では入力現フィールドＩａもしくは２フィールド遅延信号Ｉｃを、ｔｃｆ＝１，４では２フィールド遅延信号Ｉｃを（補間対象フィールド（Ｉｂ）のための）テレシネ補間信号Ｉｔとして選択し、出力する。なお、図中、カウント値“０”の出力タイミングを次のフィールドの位置としているが、信号Ｓ１＝“１”、動画フィールドの連続数ｍｆ＝４のフィールド開始直後のタイミングで出力することもでき、フィールドパルスＶｐに基づいたタイミングであればよく、上記の例に限るものではない。
【００６５】
テレシネ検出信号生成手段２１５は、図８の信号Ｓ１が“１”であり、かつ動画フィールドの連続数ｍｆが４となる場合をカウントし、カウント値が所定の値以上になり、所定回数連続してシーケンスが検出された場合、テレシネ映像信号の検出が有効であるとして、テレシネ検出信号ｔｃｉ＝１とする。図８（ｉ）のテレシネ検出信号ｔｃｉは、シーケンスのカウントが、例えば２回以上で入力映像信号がテレシネ映像信号であると検出する場合を示している。したがって、５フィールド毎に一度の特定位相のフィールドが静止画フィールドとなるシーケンスが２回以上連続して検出され、テレシネ検出信号ｔｃｉ＝１となると、入力映像信号がテレシネ映像信号であると検出して、選択手段８において、テレシネ補間処理手段７からのテレシネ補間信号Ｉｔを選択することになる。
【００６６】
なお、テレシネ映像信号から、通常のテレビジョン放送等の映像信号へ切り換わった場合には、画素差分検出手段１１で検出される１フレーム間差分情報は大きな値となり、フィールド状態判定手段１４から出力される信号Ｓ１は、動画フィールドであることを示す値“０”が連続することになる。よって、動画フィールドの連続数ｍｆは、５フィールド以上となった時点で、動画フィールドカウント値比較手段２１３から５フィールド以上の連続を示す検出結果２１３ＯＵＴ＝“１”がテレシネ検出信号生成手段２１５へと送られる。
【００６７】
テレシネ検出信号生成手段２１５では、動画フィールドカウント値比較手段２１３からの信号が“１”となった時、フィールドシーケンスカウンタ２１５ｇのカウント値をゼロへリセットし、テレシネ検出信号ｔｃｉ＝０とする。よって、テレシネ映像信号から動画フィールドが５フィールド以上連続するような映像信号へ切り換わった場合、テレシネ検出信号ｔｃｉは０へ解除され、選択手段８において、テレシネ映像信号ではない通常の映像信号であるとして動き適応補間処理手段４５からの信号を選択することになる。
【００６８】
また、テレシネ映像信号から、静止画フィールドが連続する映像信号へ切り換わった場合においては、画素差分検出手段１１で検出される１フレーム間差分情報は小さな値となり、フィールド状態判定手段１４から出力される信号Ｓ１は、静止画フィールドであることを示す値“１”が連続することになる。よって、動画フィールドの連続数ｍｆは常に０となり、静止画フィールド連続検出手段２１４では、静止画フィールドをカウントするため、連続数が５フィールド以上となった時点で、２１４ＯＵＴ＝“１”となる検出結果がテレシネ検出信号生成手段２１５へと送られる。
【００６９】
テレシネ検出信号生成手段２１５では、静止画フィールド連続検出手段２１４からの信号２１４ＯＵＴが“１”となった時、フィールドシーケンス連続数検出手段２１５ｂのカウント値（連続数）をゼロへリセットし、テレシネ検出信号ｔｃｉを“０”とする。よって、テレシネ映像信号から静止画フィールドが５フィールド以上連続するような映像信号へ切り換わった場合、テレシネ検出信号ｔｃｉは“０”へ解除され、選択手段８において、テレシネ映像信号ではない通常の映像信号であるとして動き適応補間処理手段４５からの信号を選択することになる。
【００７０】
次に、図９に示すような、テレシネ映像信号のシーケンスの途中に、放送のための編集、ＣＭやテロップの挿入などにより、フィールドシーケンスの規則性が乱れたテレシネ映像信号が入力端子１００から入力されたとして、テレシネ検出手段６の動作について説明する。
【００７１】
図９は、テレシネ映像信号の途中の第６フィールドに編集点が存在し、第６フィールドＣｂでシーケンスの規則性が乱れた場合の一例を示している。図９においては、第３フィールドＢｔと第５フィールドＢｔとが同一内容のフィールドであり、第７フィールドＤｔと第９フィールドＤｔとが同一内容のフィールドである。
【００７２】
図１０は、図９で示したようなテレシネ映像信号が入力された場合のテレシネ検出手段６の検出動作を説明するための図である。図中、（ｂ）〜（ｄ）、（ｅ）で示すフィールド状態判定手段１４で、信号Ｓ１およびＳ２の値を決めるまでの基本的な動作は、上述したテレシネ映像信号の検出時と同様であるので、その詳細な説明は省略するが、信号Ｓ１、Ｓ２は、図１０（ｅ）にあるように、第５フィールドおよび第９フィールドの次のフィールド位置で、静止画フィールドであることを示す値“１”となる。但し、信号Ｓ１、Ｓ２の値を決めるための閾値は互いに同一であると仮定している。
【００７３】
動画フィールドカウンタ２１１は、前フィールドまでの動画フィールドの連続数ｍｆを出力する（図１０（ｆ））。テレシネシーケンス位相検出手段２１２では、５フィールド毎に０から４まで繰り返しカウントを行い、シーケンス位相信号ｔｃｆとするが、信号Ｓ１が静止画フィールドであることを示しており、動画フィールドの連続数ｍｆ＝４のとき、カウント値を“０”へリセットする。
【００７４】
図９に示す例では、第６フィールドでシーケンスの規則性が乱れているため、第９フィールドの次のフィールドで信号Ｓ１が“１”であるにもかかわらず、動画フィールドの連続数ｍｆは“３”となり、２−３プルダウンの位相のずれが反映されている。
【００７５】
そこで、シーケンスずれ検出手段２２では、２−３プルダウンの位相のずれを判別するため、５フィールド毎に一度の特定位相のフィールドとは異なるフィールドが静止画フィールドであることを検出する。
【００７６】
シーケンスずれ検出手段２２の静止画フィールドカウンタ２２１では、テレシネ検出信号ｔｃｉ＝１の場合、シーケンス位相信号ｔｃｆ＝４毎にカウント値２２１ＯＵＴを“０”へリセットする。テレシネ映像信号の２−３プルダウン位相が規則正しく送られた場合には、シーケンス位相信号ｔｃｆ＝４であるフィールドは、動画フィールドが４フィールド連続した後、静止画となるフィールド（信号Ｓ１が“１”となるフィールド）、即ち、５フィールド毎に一度の特定位相の静止画フィールドであり、よって、５フィールドに一度の特定位相の静止画フィールドが検出された時、カウント値２２１ＯＵＴが“０”へリセットされる。そして、次に“０”へリセットされるまでの間（次のフィールドシーケンスの特定位相のフィールドまで）に、フィールド状態判定手段１４からの信号Ｓ２（図１０（ｅ））が静止画であることを示すフィールドをカウントする。そのため、第９フィールドの静止画フィールド検出時に、静止画フィールドカウンタ２２１において、静止画フィールドがカウントされる。
【００７７】
よって、テレシネ映像信号の５フィールドのシーケンス中に１度の特定位相のフィールドとは異なるフィールドで、信号Ｓ２が“１”となるフィールドを検出し、その検出したフィールドの数を静止画フィールドカウンタ２２１で数えてそのカウント値２２１ＯＵＴを出力することとなる。カウント値比較手段２２２は、静止画フィールドカウンタ２２１からのカウント値２２１ＯＵＴを所定値、例えば「１」と比較し、所定値以上の場合に、２−３プルダウン位相のずれを示す信号ｄｅｔ＿ＢＥ＝１として出力する（図１０（ｉ））。
【００７８】
シーケンスずれ検出手段２２内の比較手段２２からの出力ｄｅｔ＿ＢＥは、テレシネ検出信号生成手段２１５へと送られ、テレシネ検出信号生成手段２１５では、ｄｅｔ＿ＢＥ＝１となった時、フィールドシーケンス連続数検出手段２１５ｂのカウント値をゼロへリセットし、テレシネ検出信号ｔｃｉを“０”とする。よって、テレシネ映像信号の途中に２−３プルダウン位相のずれが検出された場合、テレシネ検出信号ｔｃｉが“０”へ解除され、選択手段８において、動き適応補間処理手段４５からの信号を選択することになる。なお、解除後においても、テレシネシーケンス検出手段２１では、上記テレシネ映像信号の検出の動作を行っており、５フィールドのシーケンスが規則正しく入力され、正確に検出されれば、再びテレシネ検出信号ｔｃｉ＝１となり、テレシネ映像信号に対応した補間が行われることになる。
【００７９】
したがって、テレシネ映像信号の途中に、フィールドシーケンスの規則性が乱れたことを検出した場合には、テレシネ映像信号の検出に基づくＩＰ変換を行う動作を一時的に解除することができ、間違った位相のままテレシネ映像信号の補間信号を生成することなく、テレシネ変換のフィールドシーケンスが正確に検出されるまでの間は、動き適応補間処理手段４５からの信号を選択することになる。
【００８０】
以上より、本実施の形態１によれば、１フレーム間差分情報からフィールドが静止画か動画かを示す情報を得て、テレシネシーケンス検出手段２１によりテレシネ映像信号の５フィールドのシーケンスを検出するとともに、シーケンスずれ検出手段２２では、５フィールド毎に１回ある特定位相のフィールドとは異なるフィールドが静止画フィールドである場合にに、そのことを検出し、テレシネ検出信号生成手段２１５でのテレシネ検出信号ｔｃｉを一時的に解除する。よって、テレシネ映像信号中の２−３プルダウン位相のずれが発生した場合においても、テレシネ映像信号の検出を安定に行い、誤ったフィールド信号により走査線補間信号を生成することによる画像ずれなどの画質劣化を防止して、良好なテレシネ映像信号のＩＰ変換を行うことができる。
【００８１】
なお、上記実施の形態１における所定エリア内累積カウンタ１３では１フィールドの所定エリア内の動画素数を求め、フィールド状態判定手段１４で動画素数を所定値と比較してフィールドが静止画か動画かを判定しているが、所定エリア内累積カウンタ１３において、静止画素の数を求め、フィールド状態判定手段１４で静止画素の数を所定値と比較して、フィールドが静止画か動画かを判定してもよく、上記実施の形態１と同様の効果を奏する。
【００８２】
また、本実施の形態１におけるテレシネ検出手段６では画素差分検出手段１１を設けて、１フレーム間の差分情報を検出するように説明したが、動き検出手段４においても現フィールド信号と２フィールド遅延信号間の差分情報を求めており、動き検出手段４での１フレーム差分情報によりテレシネ映像信号の検出を行うよう構成することもできる。さらに、画素差分検出手段１１は、１フレーム間の差分の絶対値をとり、差分情報として出力するとしたが、差分の絶対値に所定の値を乗算し、所定値を減算するなどの非線形変換を行い、変換した値を１フレーム間差分情報としてもよく、得られた１フレーム差分情報からフィールドが静止画か動画かを判定することができればよい。
【００８３】
また、本実施の形態１における静止画フィールド連続検出手段２１４は、フィールド状態判定手段１４からの静止画かどうかを示す信号Ｓ１を入力として静止画フィールドをカウントしているが、フィールド状態判定手段１４内に、上記第１及び第２の所定値とは異なる、第３の所定値を設けて、所定エリア内累積カウンタ１３の出力を第３の所定値と比較することにより、静止画かどうかを示す第３の信号Ｓ３を出力し、この第３の信号Ｓ３によって静止画であることが示されているフィールドを静止画フィールド連続検出手段２１４でカウントする構成とすることもできる。この場合には、第３の所定値を字幕などの静止画素の挿入時を考慮した値に設定することができる。
【００８４】
また、上記実施の形態１におけるテレシネシーケンス位相検出手段２１２では５フィールド毎に０から４まで繰り返しカウントを行い、信号Ｓ１が静止画フィールドであることを示し、かつ動画フィールドの連続数ｍｆ＝４のとき“０”へリセットするとしたが、繰り返しの値とリセット値はこれに限るものではない。５フィールド毎で繰り返す信号であり、信号Ｓ１が静止画フィールドであることを示し、かつ動画フィールドの連続数ｍｆ＝４の場合、すなわち、５フィールド毎に１回ある特定位相の静止画フィールドに同期し、所定値へリセットされればよく、上記実施の形態１と同様の効果を奏する。
【００８５】
また、上記実施の形態１における通常の映像信号に対するＩＰ変換は、動き適応補間処理を行うように説明したが、フィールド内補間処理のみによる補間信号を用いる場合でもよく、上記実施の形態１と同様の効果を奏する。
【００８６】
さらに、本実施の形態１では、ハードウェア構成するよう説明しているが、ハードウェア構成に限らず、プログラム制御でのソフトウェアの処理により実現する構成してもよい。
【００８７】
実施の形態２．
図１１は、図１におけるシーケンスずれ検出手段２２の他の例の構成を示すブロック図である。
【００８８】
図１１において、実施の形態２におけるシーケンスずれ検出手段２２は、静止画フィールドカウンタ２２１と、カウント値比較手段２２２と、遅延手段２２３と、論理ゲート２２４を備えている。なお、静止画フィールドカウンタ２２１とカウント値比較手段２２２は、上記実施の形態１の図６と同一であり、その詳細な説明は省略する。
【００８９】
静止画フィールドカウンタ２２１は、フィールド状態判定手段１４からの、フィールドが静止画かどうかを示す信号Ｓ２と、テレシネシーケンス検出手段２１からのテレシネ検出信号ｔｃｉと２−３プルダウン位相を示すシーケンス位相信号ｔｃｆが入力され、テレシネ検出信号ｔｃｉ＝１の場合、シーケンス位相信号ｔｃｆで示される５フィールドのシーケンス中で、信号Ｓ２が“１”であるフィールドをカウントする。カウント値比較手段２２２は、静止画フィールドカウンタ２２１からのカウント値を所定の値と比較し、所定値以上の場合に５フィールドのシーケンス中の静止画フィールドを検出したことを示す信号を、例えば“１”として出力する。
【００９０】
遅延手段２２３は、比較手段２２による比較結果を１フィールド分遅延し、前フィールドにおける比較結果を出力する。
【００９１】
論理ゲート２２４は、フィールド状態判定手段１４からの信号Ｓ２と、遅延手段２２３からの出力が入力され、信号Ｓ２が“０”であり（動画フィールドであることを示し）、遅延手段２２３の出力２２３ＯＵＴが“１”である（即ち、前フィールドの比較結果が‘１’の場合、即ち、前フィールドでシーケンス途中の静止画フィールドが検出された場合）に２−３プルダウン位相のずれを示す信号ｄｅｔ＿ＢＥ＝“１”として出力する。
【００９２】
カウント値比較手段２２２と、遅延手段２２３と論理ゲート２２４とで、相関判定手段３０からの信号Ｓ２が動画フィールドであることを示しており、かつ、１フィールド前の静止画フィールドカウンタ２２１のカウント値が所定値以上であることを示していたかどうかを示す信号ｄｅｔ＿ＢＥを生成する判定手段（ずれ有無判定手段）２２５が構成されており、この判定手段２２５の出力が、シーケンスずれ検出手段２２の出力ｄｅｔ＿ＢＥとして出力される。
【００９３】
従って、カウント値比較手段２２２と、遅延手段２２３と論理ゲートで構成される判定手段２２５では、５フィールド毎に一度の特定位相のフィールドとは異なるフィールドが静止画フィールドであるときに、そのことが検出され、その次のフィールドが動画フィールドである場合を判定することになり、これをフィールドが変更されてシーケンスの規則性が乱れ、２−３プルダウン位相のずれが発生したと判断する。この判別条件は、テレシネ変換のフィールドシーケンスでは、静止画フィールドの次フィールドでは動画フィールドとなること、静止画フィールドの次フィールドが静止画フィールドである場合には、補間に用いるフィールドの前後の方向（補間に用いるフィールドが前方にあるか後方にあるか）に誤りがあっても、画像ずれは起こらないと考えられるが、静止画フィールドの後に動画フィールドが続く場合は、補間に用いられるフィールドの方向（前方か後方か）により、画像ずれが起こる場合があることなどを考慮している。
【００９４】
そして、シーケンスずれ検出手段２２内の判定手段２２５の論理ゲート２２４からの出力ｄｅｔ＿ＢＥは、２−３プルダウン位相のずれを示す信号としてテレシネ検出信号を解除するため、テレシネ検出信号生成手段２１５へと送られる。
【００９５】
テレシネ検出信号生成手段２１５において、シーケンスずれ検出手段２２からの出力ｄｅｔ＿ＢＥにより、フィールドシーケンス連続数検出手段２１５ｂのカウント値をリセットし、テレシネ検出信号ｔｃを“０”とする動作は、実施の形態１の場合と同様である。したがって、シーケンスずれ検出手段２２においてテレシネ映像信号の途中に２−３プルダウン位相のずれが検出された場合には、テレシネ検出信号ｔｃｉが“０”へ解除され、図１における選択手段８では、テレシネ映像信号ではない通常の映像信号であるとして動き適応補間処理手段４５からの信号を選択することになる。
【００９６】
次に、テレシネ映像信号の途中に、放送のための編集、ＣＭやテロップの挿入などにより、シーケンスの規則性が乱れたテレシネ映像信号が入力端子１００から入力された場合の動作を説明する。なお、フィールドが静止画か動画かの判定、テレシネシーケンス検出手段２１での動作など、シーケンスずれ検出手段２２以外のブロックでの動作は、上記実施の形態１での動作と同様であるので、その説明は省略し、シーケンスずれ検出手段２２での動作を中心に説明する。
【００９７】
まず、図９に示すような一部のフィールドでシーケンスの規則性が乱れたテレシネ映像信号入力された場合について説明する。図１２は、図９に示すテレシネ映像信号が入力された場合の、実施の形態２のテレシネ検出手段６の各部に現われる信号を示す図である。図中、シーケンスずれ検出手段２２以外の部分の動作は、上記実施の形態１で説明した図１０での動作と同様である。
【００９８】
静止画フィールドカウンタ２２１では、テレシネ検出信号ｔｃｉ＝１の場合、シーケンス位相信号ｔｃｆ＝４毎にカウント値２１１ＯＵＴを“０”へリセットし、次に“０”へリセットされるまでの間で、信号Ｓ２（図１２（ｅ））が“１”である（静止画フィールドであることを示す）フィールドをカウントする。これにより、テレシネ映像信号における５フィールドのシーケンス中に１回ある特定位相のフィールドとは異なるフィールドであって、信号Ｓ２が“１”となるフィールドをカウント（計数）し、そのカウント値を出力する。カウント値比較手段２２２は、静止画フィールドカウンタ２２１からのカウント値２２１ＯＵＴを所定値、例えば「１」と比較し、所定値以上の場合に比較結果“１”を出力する。ここまでの動作は、上記実施の形態１と同様である。
【００９９】
カウント値比較手段２２２からの出力は、遅延手段２２３により１フィールド分遅延され、前フィールドにおける比較結果２２３ＯＵＴを得る（図１２（ｉ））。論理ゲート２２４は、信号Ｓ２が“０”であり、遅延手段２２３からの出力２２３ＯＵＴが“１”のとき、２−３プルダウン位相のずれを示す信号ｄｅｔ＿ＢＥ＝“１”として出力する。図１２のような場合には、遅延手段２２３の出力２２３ＯＵＴが“１”となる第１１フィールドの位置において、信号ｄｅｔ＿ＢＥ＝“１”として出力されることとなる。
【０１００】
次に、図１３（ａ）に示すような、テレシネ映像信号の途中に、静止画が挿入されることにより、シーケンスの規則性が乱れたテレシネ映像信号が入力された場合のシーケンスずれ検出手段２２の動作について説明する。
【０１０１】
図１３は、テレシネ映像信号の途中の第６から第９フィールドＣｂ，Ｃｔ，Ｃｂ，Ｃｔに編集点が存在し、静止画として４フィールドが挿入され、シーケンスの規則性が乱れた場合について、実施の形態２のテレシネ検出手段６の各部に現われる信号を示す図である。図１３においては、１フレーム間差分情報は、第５フィールドと第８フィールド、第９フィールドおよび第１４フィールドでの検出で、ゼロもしくは所定値（ゼロに近いノイズ分を考慮した値）以下となる。
【０１０２】
信号Ｓ１、Ｓ２は、図１３（ｅ）に示されるように、第５フィールドおよび第８、第９フィールド、第１４フィールドの次のフィールド位置で、静止画フィールドであることを示す値“１”となる。
【０１０３】
動画フィールドカウンタ２１１は、前フィールドまでの動画フィールドの連続数ｍｆを出力する（図１３（ｆ））。テレシネシーケンス位相検出手段２１２では、５フィールド毎に０から４まで繰り返しカウントを行い、シーケンス位相信号ｔｃｆとするが、信号Ｓ１が“１”であって静止画フィールドであることを示し、動画フィールドの連続数ｍｆ＝４のとき、カウント値を“０”へリセットする。第６〜９フィールドで静止画が挿入されているため、第８、９フィールドの次のフィールドにおいて信号Ｓ１が“１”であって、静止画フィールドであることを示しても、動画フィールドの連続数ｍｆはｍｆ＝２もしくは３であり、２−３プルダウンの位相のずれが反映されることになる。
【０１０４】
静止画フィールドカウンタ２２１では、テレシネ検出信号ｔｃｉ＝１の場合、まず、シーケンス位相信号ｔｃｆ＝４毎にカウント値２２１ＯＵＴを“０”へリセットし、次に“０”へリセットされるまでの間で、信号Ｓ２（図１３（ｅ））が“１”となるフィールドをカウントする。従って、第８、９フィールドの静止画フィールド検出時（Ｓ２＝１）に、静止画フィールドカウンタ２２１においてカウントされることになる。カウント値比較手段２２２は、静止画フィールドカウンタ２２１からのカウント値を所定値、例えば「１」と比較し、所定値以上の場合に比較結果“１”を出力し、遅延手段２２３を通すことで、１フィールド分遅延された前フィールドにおける比較結果２２３ＯＵＴ（図１３（ｉ））を得る。
【０１０５】
論理ゲート２２４は、信号Ｓ２が“０”であり、遅延手段２２３の出力２２３ＯＵＴが“１”のとき、２−３プルダウン位相のずれを示す信号ｄｅｔ＿ＢＥ＝“１”として出力する。（図１３（ｊ））。
【０１０６】
論理ゲート２２４の出力ｄｅｔ＿ＢＥは、テレシネ検出信号生成手段２１５へと送られ、テレシネ検出信号生成手段２１５では、ｄｅｔ＿ＢＥ＝１となった時、フィールドシーケンスカウンタ２１５ｇのカウント値ｆｓｃをゼロへリセットし、テレシネ検出信号ｔｃｉをｔｃｉ＝０とする（図１３（ｌ））。よって、テレシネ映像信号の途中に２−３プルダウン位相のずれが検出された場合、テレシネ検出信号ｔｃｉ＝０へ解除され、選択手段８において、動き適応補間処理手段４５からの信号を選択することになる。
【０１０７】
したがって、テレシネ映像信号の途中に、フィールドシーケンスの規則性が乱れたことを検出した場合には、テレシネ映像信号の検出に基づくＩＰ変換を行う動作を一時的に解除することができ、間違った位相のままテレシネ映像信号の補間信号を生成することなく、フィールドシーケンスの位相が正確に検出されるまでの間は、動き適応補間処理手段４５からの信号を選択することになる。
【０１０８】
以上より、本実施の形態２によれば、１フレーム間差分情報からフィールドが静止画か動画かを判定して、テレシネシーケンス検出手段２１によりテレシネ映像信号のを検出するとともに、シーケンスずれ検出手段２２では、５フィールド毎に１回ある特定位相のフィールドとは異なるフィールドが静止画フィールドであるときに、そのことを検出する。そして、検出した静止画フィールドの次に動画フィールドが検出された時に、フィールドシーケンスが変更されて、２−３プルダウン位相のずれが存在すると判断して、テレシネ検出信号生成手段２１５でのテレシネ検出信号ｔｃｉを一時的に解除する。よって、テレシネ映像信号中の２−３プルダウン位相のずれが発生した場合においても、テレシネ映像信号の検出を安定に行い、誤ったフィールド信号により走査線補間信号を生成することによる画像ずれなどの画質劣化を防止して、良好なテレシネ映像信号のＩＰ変換を行うことができる。また、静止画フィールドの次のフィールドで動画フィールドとなる場合、位相のずれを検出するので、テレシネ検出信号ｔｃｉの解除をより確実に行え、テレシネ映像信号の検出を安定に行うことができる。
【０１０９】
なお、本実施の形態２では、ハードウェア構成するよう説明しているが、ハードウェア構成に限らず、プログラム制御でのソフトウェアの処理により実現する構成してもよい。
【図面の簡単な説明】
【０１１０】
【図１】本発明の実施の形態１の映像信号処理装置の構成を示すブロック図である。
【図２】図１のフィールド状態判定手段１４の一例の構成を示すブロック図である。
【図３】図１のテレシネ判定手段２０の一例の構成を示すブロック図である。
【図４】図３のテレシネシーケンス位相検出手段２１２の一例の構成を示すブロック図である。
【図５】図３のテレシネ検出信号生成手段２１５の一例の構成を示すブロック図である。
【図６】図１のシーケンスずれ検出手段２２の一例の構成を示すブロック図である。
【図７】２−３プルダウン方式によるテレシネ変換でのテレシネ映像信号の、変換前の映像信号との関係を示す図である。
【図８】図７に示すテレシネ映像信号が入力された場合の、図１のテレシネ検出手段６の各部に現われる信号を示す図である。
【図９】図７に示すテレシネ映像信号のシーケンスの途中に、放送のための編集、ＣＭやテロップの挿入などにより、フィールドシーケンスの規則性が乱れた場合の、変換前の映像信号との関係を示す図である。
【図１０】図９に示すテレシネシーケンス映像信号が入力された場合の、図１のテレシネ検出手段６の各部に現われる信号を示す図である。
【図１１】本発明の実施の形態２で用いられるシーケンスずれ検出手段２２の構成を示すブロック図である。
【図１２】図９に示すテレシネ映像信号が入力された場合の、実施の形態２のテレシネ検出手段６の各部に現われる信号を示す図である。
【図１３】テレシネ映像信号の途中の第６から第９フィールドＣｂ，Ｃｔ，Ｃｂ，Ｃｔに編集点が存在し、静止画として４フィールドが挿入され、シーケンスの規則性が乱れた場合について、実施の形態２のテレシネ検出手段６の各部に現われる信号を示す図である。
【符号の説明】
【０１１１】
１  タイミング信号発生手段、  ２、３  フィールド遅延手段、  ４  動き検出手段、  ５  動き適応補間演算手段、  ６  テレシネ検出手段、  ７  テレシネ補間処理手段、  ８  選択手段、  ９  合成手段、  １１  画素差分検出手段、  １２  差分比較手段、  １３  所定エリア内累積カウンタ、  １４  フィールド状態判定手段、  ２０  テレシネ判定手段、  ２１  テレシネシーケンス検出手段、  ２２  シーケンスずれ検出手段、  ３０  相関判定手段、  ４０  走査線補間手段、  ４５  動き適応補間処理手段、  ２１１  動画フィールドカウンタ、  ２１２  テレシネシーケンス位相検出手段、  ２１３  動画フィールドカウント値比較手段、  ２１４  静止画フィールド連続検出手段、  ２１５  テレシネ検出信号生成手段、  ２２１  静止画フィールドカウンタ、  ２２２  カウント値比較手段、  ２２３  遅延手段、  ２２４  論理ゲート、  ２２５  ずれ有無判定手段、  １００  入力端子、  １０１、１０２  端子、  １０３  出力端子。
【図１】
2005223503.tif 000003
【図２】
2005223503.tif 000004
【図３】
2005223503.tif 000005
【図４】
2005223503.tif 000006
【図５】
2005223503.tif 000007
【図６】
2005223503.tif 000008
【図７】
2005223503.tif 000009
【図８】
2005223503.tif 000010
【図９】
2005223503.tif 000011
【図１０】
2005223503.tif 000012
【図１１】
2005223503.tif 000013
【図１２】
2005223503.tif 000014
【図１３】
2005223503.tif 000015